(57)【要約】【課題】  引出機は単に引く又は押す等により移動可能でありながら、条材の引き出し時には移動せず、対応する方向に向きを定めながらドラムから引き出しうること。【解決手段】  自在車１を各々前後端の両側に配した機台２と、機台２に配した、ドラムｄ載置用の一対の載置用ローラ３、３と、機台２に起伏自在に配した、載置用ローラ３、３に載せたドラムｄを上方から抑える上部抑えローラ５を備えた起伏アーム４と、載置用ローラ３、３上のドラムｄを上部抑えローラ５で抑えた状態の起伏アーム４を保持すべく、その起伏アーム４に配した係止突起９、９を係止溝８ｂ、８ｂに係止させて保持する保持アーム８、８と、載置用ローラ３、３上のドラムｄから電線類ｗを引き出す場合に、機台２をそれを中心に回転させるため及び電線類ｗの引っ張り方向への移動を阻止するための回転中心軸６ａと、起伏アーム４に結合した引っ張り操作桿７ｃとで構成する。【選択図】図８
2018043882.tif 000002
【特許請求の範囲】
【請求項１】
平面上に置かれた状態でそのいずれの方向にも移動可能かつ回転可能であるように車輪を配した機台と、
前記機台上に、その前後端に対して平行に配した一対の載置用ローラであって、それらと同一軸方向を向いたドラムを載置可能であるように配した一対の載置用ローラと、
前記機台の前後端のいずれか一方の端部に起伏回動自在に配した逆Ｕ字状の起伏アームであって、前記載置用ローラに載置したドラムを上方から抑える上部抑えローラを上端横棒部に平行に取り付けた起伏アームと、
前記載置用ローラに載置したドラムを、予め起立又は外方に倒してある起伏アームを内側に伏動作させてその上部抑えローラで上から抑えた場合に、該起伏アームのその状態を保持すべく前記機台に取り付けたアーム状態保持手段と、
前記載置用ローラに載置した前記ドラムから条材を引き出す場合に、該条材の引き出し方向に応じて、前記機台が、それを中心に向きを変えるべく回転するのを許容する一方、引っ張り方向への移動を阻止するため、該条材の引き出しの際にその周囲の一部の車輪を浮かせることができる、下方に突出する回転中心軸及び該回転中心軸を昇降させるための昇降操作手段からなる、条材の引っ張り側と反対側の機台の端部に配した回転中心手段と、
使用者が、前記機台を、これを配置した平面上を引っ張り操作又は押し操作して移動させるために用いる、前記機台又は前記起伏アームに構成した移動操作手段と、
で構成したドラム巻条材の引出機。
【請求項２】
前記アーム状態保持手段を、
前記起伏アームの両側の縦棒部の外側に各々突出させた係止突起と、
前記起伏アームの基部を取り付けた機台の端部と反対側の端部に、該起伏アームの両側の縦棒部に対応する位置関係でそれぞれ起伏回動自在に設置した保持アームであって、予め起立又は外方に倒してある該両保持アームを内側に伏回動させた場合に、前記上部抑えローラで前記載置用ローラに載置したドラムを上から抑えた状態になっている起伏アームの両側縦棒部外面の各係止突起を進入係止させることとなるように、それぞれその先端側の部位に、向きを定めて開口した係止溝を構成した保持アームと、
で構成した請求項１のドラム巻条材の引出機。
【請求項３】
前記回転中心手段を、
下端に緩衝材を被覆した縦軸である前記回転中心軸と、
前記昇降操作手段とで構成し、
前記昇降操作手段を、
前記回転中心軸の上端からこれに直角に伸びるように結合した操作棒と、
前記回転中心軸の下部にこれを昇降自在に外装する昇降案内管と、
前記昇降案内管をその内側下部に固定状態に取り付け、前記回転中心軸をその内側に昇降自在に配し、上端がその上部内面で前記回転中心軸のそれ以上の上昇を阻止すべく閉じ、正面が正面開口部として開口し、かつ下端がその開口部から前記回転中心軸の下部の下降突出を許容すべく開口した、前記条材の引っ張り側と反対側の機台の端部中央に固設するケース部材と、
前記回転中心軸に外装状態で、前記昇降案内管の上端及び前記操作棒の基部の間に配する圧縮バネ部材と、
前記ケース部材の正面開口部の側部に形成した係合溝であって、前記回転中心軸を、その下端が引出機を配置した平面上に到達し、前記機台に設置した前記回転中心軸に近接する両側の車輪を浮かせた状態になるまで下降させた場合に、前記操作棒をその中に進入させて係合することのできる係合溝と、
で構成した請求項１又は２のドラム巻条材の引出機。
【請求項４】
前記移動操作手段を、
前記起伏アームの上端横棒部を円筒状又は円柱状に構成し、該上端横棒部の長さ方向中央部に回転自在に外装した取付管と、
前記取付管の長さ方向中央部にこれに対して直角に結合した長尺の引っ張り操作桿と、
前記引っ張り操作桿の先端に、これとでＴ字形をなすように結合したグリップ部と、
前記上端横棒部に、前記取付管の両側に位置させて固設した該取付管と同径の固定管と、
前記両側の固定管に両端を固設したストッパ部材であって、前記取付管を回動させて前記引っ張り操作桿が前記起伏アームに沿ってその基部側方向に延長状態になるようにした場合に、該取付管がそれ以上に同方向に回動しないように制限し、かつ該取付管を逆方向に回動させて該引っ張り操作桿が前記起伏アームの延長方向に延びるようにした場合に、該取付管がそれ以上にその方向に回動しないように制限するストッパ部材と、
で構成した請求項１、２又は３のドラム巻条材の引出機。
【発明の詳細な説明】
【技術分野】
【０００１】  本発明は、コード類、ケーブル類、紐類、ホース類、その他の長尺の条材を巻装してあるドラムをセットして、建築現場や工事現場その他の所要の場所で、それらの条材をスムーズに引き出すことができるドラム巻条材の引出機に関するものである。
【背景技術】
【０００２】  この種のドラム巻条材の引出機としては、ケーブル類や電線類又はホース類の引出機が知られていたが、いずれもドラムがそれに備えられている中心軸で支持されており、そのドラムは取り外すことができないか、できるとしても取り外しになかなか厄介な操作を必要とするものであった。また以上の引出機は、ケーブル類等をドラムの巻胴に対して斜め方向から引き出したりすると、該ケーブル類等がドラムから外れたり、あるいは引出機自体が簡単に倒れて、それ以上の引き出しができなくなってしまうようなものでもあった。更に以上の引出機は、その不使用時にはそれを小さく折り畳む等ということはできないものであったから、その運搬時や保管時にも多くのスペースをとるものであった。加えて複数のそれを積み重ねて保管しようとすると、落ち着きが悪く、特別の台等が必要である等、不便なものであった。【０００３】  特許文献１のドラム巻条材の引出機は、以上のようなかつてのそれの問題点を改良したものであり、平面上に置かれた状態で自転自在であるように車輪類を配した機台と、該機台上に、その前後端に平行で軸の周囲方向に回転自在に配した一対の載置用ローラであって、それらと同一軸方向を向いたドラムを載置し得るように配した載置用ローラと、上記一対の載置用ローラに載置したドラムを該載置用ローラの上に保持すべくその両側鍔部の位置で挟む一対以上の側部規制ローラであって、前記機台の両側部に各々縦軸を中心として回転自在に配した側部規制ローラと、前記機台の前後端に各々起伏回動自在に配した逆Ｕ字状の起伏アームであって、前記載置用ローラに載置したドラムを上方から抑える上部抑えローラを、各々上端横棒部に平行に取り付けた起伏アームと、上記両起伏アームの両側部途中にそれぞれ配する弾性結合手段であって、起立して前記上部抑えローラでドラムを抑えている場合に、その状態を保持すべく両起伏アームの両側部を相互に弾力的に結合する弾性結合手段と、で構成したドラム巻条材の引出機である。【０００４】  特許文献１のドラム巻条材の引出機は、前記したように、それ以前のドラム巻条材の引出機の問題点をことごとく解決した優れたものであるが、作業現場等で、作業上の都合からその引出機を他の場所に移動したい場合にも、これ自体は、これが配置してある面上を移動することはできず、その軸心を中心として回転することしかできないので、この引出機を持ち上げた上で移動させるか、何かの移動手段に載せて移動させるしかできない不都合があった。特にこの引出機に搭載したドラムが大型で重量が大きい場合には移動に大きな労力を要する問題があった。
【先行技術文献】
【特許文献】
【０００５】
【特許文献１】特開平１０−２１１００９号公報
【発明の概要】
【発明が解決しようとする課題】
【０００６】  本発明は、以上の特許文献１のドラム巻条材の引出機の問題点を解決し、移動を必要とする場合には、これを持ち上げることなく、単に引く又は押す等により大きな労力を要することなく容易に移動させることができるようにし、それにもかかわらず、ドラムからケーブル等の条材を引き出す場合には、その条材の引っ張り操作によって該引出機がその引っ張り方向に移動してしまうようなことなく、自在に条材を引き出すことが可能である外に、特許文献１の優れた機能の全てを有するドラム巻条材の引出機を提供することを解決の課題とするものである。
【課題を解決するための手段】
【０００７】  本発明の１は、平面上に置かれた状態でそのいずれの方向にも移動可能かつ回転可能であるように車輪を配した機台と、
前記機台上に、その前後端に対して平行に配した一対の載置用ローラであって、それらと同一軸方向を向いたドラムを載置可能であるように配した一対の載置用ローラと、
前記機台の前後端のいずれか一方の端部に起伏回動自在に配した逆Ｕ字状の起伏アームであって、前記載置用ローラに載置したドラムを上方から抑える上部抑えローラを上端横棒部に平行に取り付けた起伏アームと、
前記載置用ローラに載置したドラムを、予め起立又は外方に倒してある起伏アームを内側に伏動作させてその上部抑えローラで上から抑えた場合に、該起伏アームのその状態を保持すべく前記機台に取り付けたアーム状態保持手段と、
前記載置用ローラに載置した前記ドラムから条材を引き出す場合に、該条材の引き出し方向に応じて、前記機台が、それを中心に向きを変えるべく回転するのを許容する一方、引っ張り方向への移動を阻止するため、該条材の引き出しの際にその周囲の一部の車輪を浮かせることができる、下方に突出する回転中心軸及び該回転中心軸を昇降させるための昇降操作手段からなる、条材の引っ張り側と反対側の機台の端部に配した回転中心手段と、
使用者が、前記機台を、これを配置した平面上を引っ張り操作又は押し操作して移動させるために用いる、前記機台又は前記起伏アームに構成した移動操作手段と、
で構成したドラム巻条材の引出機である。【０００８】  本発明の２は、本発明の１のドラム巻条材の引出機において、
前記アーム状態保持手段を、
前記起伏アームの両側の縦棒部の外側に各々突出させた係止突起と、
前記起伏アームの基部を取り付けた機台の端部と反対側の端部に、該起伏アームの両側の縦棒部に対応する位置関係でそれぞれ起伏回動自在に設置した保持アームであって、予め起立又は外方に倒してある該両保持アームを内側に伏回動させた場合に、前記上部抑えローラで前記載置用ローラに載置したドラムを上から抑えた状態になっている起伏アームの両側縦棒部外面の各係止突起を進入係止させることとなるように、それぞれその先端側の部位に、向きを定めて開口した係止溝を構成した保持アームと、
で構成したドラム巻条材の引出機である。【０００９】  本発明の３は、本発明の１又は２のドラム巻条材の引出機において、
前記回転中心手段を、
下端に緩衝材を被覆した縦軸である前記回転中心軸と、
前記昇降操作手段とで構成し、
前記昇降操作手段を、
前記回転中心軸の上端からこれに直角に伸びるように結合した操作棒と、
前記回転中心軸の下部にこれを昇降自在に外装する昇降案内管と、
前記昇降案内管をその内側下部に固定状態に取り付け、前記回転中心軸をその内側に昇降自在に配し、上端がその上部内面で前記回転中心軸のそれ以上の上昇を阻止すべく閉じ、正面が正面開口部として開口し、かつ下端がその開口部から前記回転中心軸の下部の下降突出を許容すべく開口した、前記条材の引っ張り側と反対側の機台の端部中央に固設するケース部材と、
前記回転中心軸に外装状態で、前記昇降案内管の上端及び前記操作棒の基部の間に配する圧縮バネ部材と、
前記ケース部材の正面開口部の側部に形成した係合溝であって、前記回転中心軸を、その下端が引出機を配置した平面上に到達し、前記機台に設置した前記回転中心軸に近接する両側の車輪を浮かせた状態になるまで下降させた場合に、前記操作棒をその中に進入させて係合することのできる係合溝と、
で構成したドラム巻条材の引出機である。【００１０】  本発明の４は、本発明の１、２又は３のドラム巻条材の引出機において、
前記移動操作手段を、
前記起伏アームの上端横棒部を円筒状又は円柱状に構成し、該上端横棒部の長さ方向中央部に回転自在に外装した取付管と、
前記取付管の長さ方向中央部にこれに対して直角に結合した長尺の引っ張り操作桿と、
前記引っ張り操作桿の先端に、これとでＴ字形をなすように結合したグリップ部と、
前記上端横棒部に、前記取付管の両側に位置させて固設した該取付管と同径の固定管と、
前記両側の固定管に両端を固設したストッパ部材であって、前記取付管を回動させて前記引っ張り操作桿が前記起伏アームに沿ってその基部側方向に延長状態になるようにした場合に、該取付管がそれ以上に同方向に回動しないように制限し、かつ該取付管を逆方向に回動させて該引っ張り操作桿が前記起伏アームの延長方向に延びるようにした場合に、該取付管がそれ以上にその方向に回動しないように制限するストッパ部材と、
で構成したものである。
【発明の効果】
【００１１】  本発明の１のドラム巻条材の引出機によれば、条材、例えば、電線類を巻いたドラムを、前記機台の端部に配してある起伏アームを外方に開いた状態にした上で、前記一対の載置用ローラ上に、それらと同軸方向に向けて載置し、その後、前記起伏アームを該機台上部側に戻し、それに配してある上部抑えローラで該ドラムを上部から抑えるとともに、前記アーム状態保持手段で、該起伏アームのその状態を固定して使用することができる。【００１２】  ドラムに巻いてある条材、たとえば、電線類を引き出す場合には、前記回転中心手段の昇降操作手段を操作してその回転中心軸を下方に突出させ、該回転中心軸に近接する両側の車輪を若干浮かせた状態にし、その後、電線類を引き出すと、前記機台は、その電線類の引き出し方向に応じて、該回転中心軸を中心に回転し、該電線類の引き出し方向に対応する方向に向き、スムーズな引き出しを確保することができる。従って電線類のドラムからの引き出しがスムーズに行い得られ、使用者は非常に安定して能率的に作業を行うことができる。また該機台は前記回転中心軸で位置が固定されているので、電線類を引っ張っても、それによってその方向に移動してしまうようなこともない。【００１３】  なお、以上において、前記車輪がそれぞれ前記機台の前後端の両側部付近に配してある場合には、該機台の回転中心軸の配してある端部の両側の車輪が浮いた状態になり、該機台は該回転中心軸と他端部に配した二つの車輪とによる三点支持状態になり、非常に安定した状態で支持され、かつ該車輪は、前記のように、そのいずれの方向にも移動可能かつ回転可能であるように配してあるため、前記のように、該機台は、電線類等の条材の引き出し方向に対応して回転し、ドラムの巻胴は条材の引き出し方向と直交する向きとなり、極めてスムーズなその引き出しが確保できることになる。【００１４】  なおまた、以上において、電線類等の条材を引き出す場合に、ドラムの上側から引き出すこととすると、該条材が該ドラムの巻胴に対して斜め方向から引き出されることとなった場合に、前記車輪による前記機台の回転動作がうまく機能し得ずに転倒する場合があり得る。それ故、電線類等の条材は、該ドラムの下側から引き出すこととするのが多くの場合に適当である。【００１５】  また本発明の１のドラム巻条材の引出機によれぱ、当該現場の他の場所での作業が必要になった場合には、容易にその場所に移動することができる。この場合は、前記回転中心手段の昇降操作手段を操作して前記回転中心軸を上昇させ、前記機台をこれに配した全車輪で支持する状態に戻し、前記移動操作手段を用いて引っ張り又は押し操作することにより、該機台を、大きな労力を必要とすることなく、自由にかつスムーズに床面等の平面上を移動させ、所要の場所まで移動させることができる。前記のように、車輪は、平面上に置かれた状態でそのいずれの方向にも移動可能であり、以上のような移動は自由にできる。なお、移動に際して段差とか突起を越える必要がある場合には、起伏アームの一部その他の適当な部位を掴んで引出機を持ち上げ、それを越えることができるのは云うまでもない。【００１６】  更にドラムの条材を全て引き出してしまった場合等には、当然、そのドラムを取り除いて必要な電線類等の条材の巻いてある他のドラムを載せ替える必要がある。本発明の１のドラム巻条材の引出機では、前記起伏アームの上部抑えローラで一対の載置用ローラに載置されたドラムを上方から抑えて前記機台上に保持している訳であるが、そのような起伏アームの状態は前記アーム状態保持手段で保持されている。従ってこの場合には、該アーム状態保持手段による以上の起伏アームの状態の保持を解除すれば良い。そうすれば、該起伏アームを起こして外側に倒すことが可能になり、前記一対の載置用ローラに載置してあるドラムを取り出し、必要な電線類等の条材の巻いてある他のドラムを載せ替えることができる。その後は、前記したように、前記起伏アームをその上部抑えローラで載せ替えたドラムの上部側を抑えるべく動かし、その起伏アームの状態を前記アーム状態保持手段で保持すれば良い。【００１７】  この引出機の不使用時には、ドラムを取り除いて、引出機それ自体をコンパクトに折り畳むことができる。したがってその保管のスペースが小さくて済み、かつ運搬の際も好都合である。【００１８】  更に、以上のように、ドラムの載せ替えが極めて簡単にできるものであるため、例えば、電気工事等で複数種の電線類を使用する場合等でも、ドラムの形状寸法が同一であれば一台の引出機を用意すれば充分であり、ある単位長さの電線類を巻いたドラムを種類毎に使用予定長さを満足させるだけの個数を用意すれば良い。そのため運搬量が少なくなり、かつドラムは横に倒して重ねることができ、かつ引出機もそれが可能であるから、運搬についても一層少ないスペースで行える利点がある。【００１９】  本発明の２のドラム巻条材の引出機によれば、前記機台の載置用ローラに載せたドラムを上部抑えローラで抑えた起伏アームを、該機台の該起伏アームの取り付け端部と反対側の端部に起伏自在に配した前記アーム状態保持手段の一対の保持アームを単に反対側上方から下降回転させる操作をするのみで、その状態に固定保持することができる。この固定保持は、より詳しくは、一対の保持アームを、以上のように、単に反対側上方から下降回転させることで、該保持アームの先端側の部位に形成してある係止溝に前記起伏アームの両側の縦棒部の外面にそれぞれ突出させてある係止突起を進入係止させることによって行いうるものであり、単純な操作で確実にその保持状態を固定できるものである。【００２０】  なお、前記アーム状態保持手段としては、以上の構成が簡明で確実な動作を確保できる好ましいものであるが、他の種々の構成も採用可能である。例えば、それぞれ基端を前記機台の側部に固定した一対の弾性紐であって、先端側に前記起伏アームの両側縦棒部の外面に固設した係止突起に係止するための係止用フックを備えた弾性紐を採用することができる。この場合は、両側の弾性紐の係止用フックを該起伏アームの両側縦棒部の係止突起に係止するだけで、簡単に、該起伏アームの上部抑えローラによる載置用ローラ上のドラムの抑え状態を保持することができることになる。【００２１】  本発明の３のドラム巻条材の引出機によれば、前記機台に載せたドラムからこれに巻回してある条材を引き出す場合は、前記したように、まず、��記回転中心手段の昇降操作手段を操作して前記回転中心軸を下降させ、これに近接する一部の車輪を浮かせ、該機台を該回転中心軸を中心に回転可能に、しかし移動は不能にすれば良い。この後、ドラムに巻き回してある条材を自由に引き出すことができる。条材の引き出し方向が該ドラムの巻胴の向きと直交する方向でない場合には、該条材を引けば、該機台は、自ずと、前記回転中心軸を回転中心として、該機台に載ったドラムの巻胴を条材の引っ張り方向と直交する向きになるように回転し、ドラムからの条材の引き出しは安定して行えるようになる。他方、該回転中心軸の下端が、前記のように、該機台を配置した床面等の平面上に圧接状態となるため、該条材の引っ張り操作の際に、該機台がその引っ張り方向に移動してしまうようなことはない。【００２２】  本発明の３のドラム巻条材の引出機によれば、前記のような、前記回転中心軸の下降操作は、前記昇降操作手段の操作棒を下降操作し、更にこれを前記ケース部材の正面開口部の側部に形成した係合溝に係合することのみの簡単な操作で行うことができる。また前記回転中心軸は下端を緩衝材で被覆した縦軸で構成したものであるため、前記機台を配置した床面等に損傷を生じさせるようなおそれもない。【００２３】  本発明の４のドラム巻条材の引出機によれば、前記移動操作手段を構成したので、ドラムを載置したこの引出機を、作業現場で、他の作業場所等へ移動させたい場合には、前記起伏アームの上端横棒部に基部を回動自在に結合した引っ張り操作桿を外側に回動させて該起伏アームから延長した状態にし、そうした上で、該引っ張り操作桿の外端（先端）のグリップ部を掴んで移動したい方向に引っ張れば良い。このようにすれば、この引出機を持ち上げて運ぶような、特別な強い力を要することなく、該引出機を容易に目的の場所に移動させることができる。なお、前記したように、移動途中に段差等があった場合には、前記起伏アームの一部等を掴んで引出機を持ち上げ、それを越えることができることは云うまでもない。【００２４】  以上において、前記機台に配した車輪は、前記のように、いずれの方向にも移動可能に配したものであるため、以上のような移動操作手段の引っ張り操作桿をグリップ部を掴んで引っ張った場合に、該機台を目的の方向に自由に移動させることができる。【００２５】  なお、本発明の４のドラム巻き条材の引出機においては、移動操作手段を、前記のように構成したものであるから、その引っ張り操作桿をその基部で内側（起伏アームの上側）に回動させれば、ドラムから条材を引き出す際にも邪魔になるおそれが無く、コンパクトにもなる。特に、ドラムを載置用ローラから下ろして、この引出機を運んだり保管したりする場合には、以上のように、起伏アームの上側に回動させ、折りたたんだ状態にした上で、該起伏アームを伏状態にして、前記機台の上にそのフレームと平行な状態にすれば、全体として極めてコンパクトになり、広い保管スペースを必要としない。【００２６】  なお、移動操作手段としては、以上の構成が適当であるが、前記機台を、これを配置した平面上を引っ張り操作又は押し操作して移動させるために用いることのできる手段であれば、これに限定されるものではない���種々の構成の手段を採用することができる。
【図面の簡単な説明】
【００２７】
【図１】実施例のドラム巻条材の引出機の引っ張り操作桿を起伏アームの先端から延長した状態の不使用時の平面図。
【図２】実施例のドラム巻条材の引出機の引っ張り操作桿を起伏アームの先端から基部側に折り返した状態の不使用時の平面図。
【図３】（ａ）は図１の側面図、（ｂ）は図２の側面図。
【図４】（ａ）は回転中心手段の回転中心軸が下降していない状態の正面図、（ｂ）は回転中心手段の回転中心軸が下降している状態の正面図、（ｃ）は回転中心軸の下部の縦断面図、（ｄ）は（ａ）の平面図、（ｅ）は（ｂ）の平面図。
【図５】（ａ）は、引っ張り操作桿を起伏アーム先端から延長した状態の一部切欠平面図、（ｂ）は、引っ張り操作桿を起伏アーム先端から基部側に折り返した状態の一部切欠平面図、（ｃ）は、（ａ）のＡ−Ａ線拡大断面図、（ｄ）は、（ｂ）のＢ−Ｂ線拡大断面図、（ｅ）は、（ａ）のＣ−Ｃ線拡大断面図、（ｆ）は、（ｂ）のＤ−Ｄ線拡大断面図。
【図６】実施例のドラム巻条材の引出機の機台にドラムを載せ、引っ張り操作桿を起伏アームの先端から延ばした状態の使用時の平面図。
【図７】図６の側面図。
【図８】ドラムを載せた使用状態の引出機の機台に配してある回転中心手段の回転中心軸を下降突出させた状態の側面図。
【図９】ドラムを載せた使用状態の引出機の機台に配してある回転中心手段の回転中心軸を下降突出させた状態で、該回転中心軸を中心に時計回り方向に回転する場合の状態を示した平面図。
【発明を実施するための形態】
【００２８】  以下、発明を実施するための形態を実施例に基づいて添付図面を参照しつつ詳細に説明する。
【実施例】
【００２９】  図１〜図９に示すように、この実施例のドラム巻条材の引出機は、前端両側部及び後端両側部にそれぞれ自在車（車輪）１、１…を配した機台２と、該機台２に、その前後端に対して平行に配したドラム載置用の一対の載置用ローラ３、３と、前記機台２の後端部に両側の縦板部（縦棒部）４ａ、４ａの基部を起伏回動自在に取り付けた該縦板部４ａ、４ａ及び上端横棒部４ｂからなる逆Ｕ字状の起伏アーム４と、該起伏アーム４を内側に伏動作させた場合に、前記載置用ローラ３、３に載置したドラムｄを上から抑えることができるように、該起伏アーム４に取り付けた上部抑えローラ５と、該上部抑えローラ５で前記載置用ローラ３、３に載置されたドラムｄを抑えた状態の前記起伏アーム４のその状態を保持するアーム状態保持手段と、前記機台２の後端部中央に取り付けた回転中心軸６ａ及び該回転中心軸６ａを昇降させるための昇降操作手段６ｂからなる回転中心手段６と、前記起伏アーム４の先端（外端）に構成した移動操作手段７とで、基本的に構成する。【００３０】  前記機台２は、特に図１〜図３、図７及び図８に示すように、平面から見て長方形の長辺に沿った側板２ａ、２ａ及び短辺に各々沿った前端片２ｂと後端片２ｃとからなり、前記二つの側板２ａ、２ａはそれぞれ帯状の長尺金属板で構成し、前記前端片２ｂ及び前記後端片２ｃは、側面視Ｌ型の長尺金属部材であるアングル材を用いて構成したものである。該アングル材はその一片を、前記前端片２ｂ及び前記後端片２ｃの底部側を構成する底部片とし、他の一片を直立側を構成する直立片としたものである。同図に示すように、前記側板２ａ、２ａの各前端は、前記前端片ｂの両側部でその底部片上に載せ、かつ直立片の内面に当接させて溶接結合し、該側板２ａ、２ａの各後端は、前記後端片２ｃの両側部でその底部片上に載せ、直立片の内面に当接させて溶接結合したものである。【００３１】  前記自在車１、１…は、前記し、図１〜図３及び図６〜図９に示すように、前記機台２の前端片２ｂ及び後端片２ｃにそれぞれ２個づつ配する。各２個の自在車１、１はそれぞれ前端片２ｂ及び後端片２ｃの両側部でその直立片の外面に固設する。なお、前記自在車１、１…は、いずれの方向にも移動可能な一般的なそれを採用したものである。【００３２】  前記一対の載置用ローラ３、３は、前記機台２の前後方向の中心から前後にそれぞれ等距離の位置に、相互に平行に配する。また、該載置用ローラ３、３は、それぞれその中心軸を前記機台２の側板２ａ、２ａに固設することで、そのローラ部を相互に平行かつ回転自在に配する。なお、一対の載置用ローラ３、３の間隔は、云うまでもなく、これらに載置するドラムｄの径に対応して設定する。また該載置用ローラ３、３のローラ部には、図１〜図３及び図６〜図９に示すように、これらに載置するドラムｄが極端に側方にずれたりしないように、それらの両側部から若干内側の位置に、それぞれ横ずれ防止鍔３ａ、３ａを取り付ける。これらの横ずれ防止鍔３ａ、３ａの該載置用ローラ３、３のローラ部への取付は、この実施例では、溶接によって行った。【００３３】  前記起伏アーム４は、前記し、図１〜図３及び図６〜図９に示すように、前記上端横棒部４ｂと��の両側端から垂下する前記縦板部４ａ、４ａとからなる逆Ｕ字状の構成である。同図に示すように、前記縦板部４ａ、４ａの下端（基部）は、前記機台２のそれぞれ対応する側の側板２ａ、２ａの後端内面側から立ち上げた板状のブラケット４ｃ、４ｃの外面側に回動自在にピン結合する。該ブラケット４ｃ、４ｃの高さは、特に図３（ａ）、（ｂ）に示すように、前記載置用ローラ３、３にドラムｄが載っていない状態で、該ブラケット４ｃ、４ｃに前記縦板部４ａ、４ａの基部をピン結合した起伏アーム４を前記機台２上に伏状態に折り畳んだ場合に、該機台２の側板２ａ、２ａ上に伏状態に折り畳んだアーム状態保持手段の後記保持アーム８、８上にほぼ隙間無く相互に平行に載った状態になるように設定する。【００３４】  前記ブラケット４ｃ、４ｃは、前記のように、前記機台２の側板２ａ、２ａの後端部の内側面に当接状態にし、かつ溶接して固定したものである。従って前記起伏アーム４の縦板部４ａ、４ａは、先に説明したように、該起伏アーム４を、前記載置用ローラ３、３にドラムｄが載っていない状態で、伏状態に折り畳むと、図３（ａ）、（ｂ）に示すように、前記保持アーム８、８を挟んで前記機台２の側板２ａ、２ａの直上に位置する状態になる。【００３５】  前記起伏アーム４の上端横棒部４ｂは、図１、図２、図６及び図９に示すように、金属管で構成し、その両端は、前記縦板部４ａ、４ａの各上端内面に溶接結合したものである。また該上端横棒部４ｂの中央部には、後述するように、前記移動操作手段７を構成する。【００３６】  前記上部抑えローラ５は、図１〜図３及び図６〜図９に示すように、前記起伏アーム４の高さ（長さ）方向途中に、その上端横棒部４ｂに平行になるように配する。図１、図２、図６及び図９に示すように、前記上部抑えローラ５は、該起伏アーム４の各縦板部４ａ、４ａ間に配し、かつそれに配した中心軸とこれに回動自在に外装したローラ部とで構成するものである。それ自体の構成は、前記載置用ローラ３、３と同様である。また該上部抑えローラ５は、該載置用ローラ３、３上に載置したドラムｄを、その上から脱落しないように、上方から抑えるものであるから、当然、対象となるドラムｄのサイズに合わせて、該起伏アーム４に於ける取り付け高さ位置を設定する。【００３７】  前記アーム状態保持手段は、図１〜図３及び図６〜図９に示すように、係止突起９、９と前記保持アーム８、８とからなる。前記係止突起９、９は、同図に示すように、前記起伏アーム４の両側の縦板部４ａ、４ａの外面から各々突出させたものであり、突出位置は、該縦板部４ａ、４ａの長さ方向中央部から若干基部寄りの位置に設定してある。【００３８】  前記保持アーム８、８の各下端（基部）は、図３及び図６〜図９に示すように、前記機台２のそれぞれ対応する側の側板２ａ、２ａの前端内面側から立ち上げた板状のブラケット８ａ、８ａに回動起伏自在にピン結合する。該ブラケット８ａ、８ａの高さは、特に図３（ａ）、（ｂ）、図７及び図８に示すように、前記載置用ローラ３、３にドラムｄが載っていない状態で、該ブラケット８ａ、８ａにピン結合した該保持アーム８、８を前記機台２上に伏状態に折り畳んだ場合に、該機台２の側板２ａ、���ａ上にほぼ隙間無く平行に載った状態になるように設定する。また該保持アーム８、８の該ブラケット８ａ、８ａへのピン結合は、図１、図２、図６及び図９に示すように、ピン外端の拡大部と該保持アーム８、８との間に若干の間隔を空け、その間に該ピンに外装状態にした圧縮バネ８ｃ、８ｃを介在させ、該保持アーム８、８を、図６及び図９に示すように、それらの先端で前記起伏アーム４、４のそれぞれの縦板部４ａ、４ａの厚さ分を若干越える程度外方に開くことが可能であるようにしておく。【００３９】  また前記保持アーム８、８には、予め起立又は前部側外方に倒してある該両保持アーム８、８を内側（機台２の上側）に伏回動させた場合に、前記上部抑えローラ５で前記載置用ローラ３、３に載置したドラムｄを上から抑えた状態になっている起伏アーム４の両側縦板部４ａ、４ａ外面の各係止突起９、９を進入係止させることとなるように、それぞれその先端側の対応する部位に、係止溝８ｂ、８ｂを向きを定めて開口する。【００４０】  該係止溝８ｂ、８ｂは、前記保持アーム８、８のピン結合部位を中心とし、前記の状態で位置する係止突起９、９を通過する仮想円弧に沿って該保持アーム８、８に形成したものである。該係止溝８ｂ、８ｂは、該保持アーム８、８を伏回動させて係止突起９、９に係止させるものであるから、その際の下方側に開口し、該係止突起９、９を適切に係止可能なサイズに構成する。なお、該係止突起９、９は、前記起伏アーム４を起伏回動させると、該起伏アーム４の縦板部４ａ、４ａのピン結合部位を中心とする仮想円弧に沿って移動するものであり、この仮想円弧は、前記保持アーム８、８を起伏回動させた場合の前記係止溝８ｂ、８ｂの通過する仮想円弧とは、該係止突起９、９が係止溝８ｂ、８ｂに係止した位置で交差するものであり、それ故、前記起伏アーム４は、両者の係止状態では起立動作することができず、該起伏アーム４によるドラムｄの保持状態は確実に維持されることになるものである。一方、保持アーム８、８は、係止溝８ｂ、８ｂが対応する仮想円弧に沿って形成されているので、当然、起立回動が可能であり、保持状態の解除は可能になっている。【００４１】  なお、この実施例では、該保持アーム８、８には、該係止溝８ｂ、８ｂをそれぞれ一箇所にしか設けていないが、用いるドラムｄのサイズが種々ある場合は、それに応じて、複数箇所に設けることができる。より大サイズのドラムｄを併せて用いる場合は、それに対応させて該保持アーム８、８の現在の係止溝８ｂ、８ｂより先端側に他の係止溝を設ける。前記係止突起９、９との対応関係は先に述べたとおりである。【００４２】  前記機台２の両側板２ａ、２ａには、それらの後部側で、前記起伏アーム４のためのブラケット４ｃ、４ｃより僅かに前部側の位置に、前記保持アーム８、８のための挟持保持部８ｄ、８ｄを構成する。これらの挟持保持部８ｄ、８ｄは、図１〜図３（ａ）、（ｂ）及び図６〜図９に示すように、両側板２ａ、２ａの前記位置の表裏両面に固設して立ち上げた二枚の金属板からなるものであり、前記保持アーム８、８を、前記載置用ローラ３、３にドラムｄが載っていない状態で、前記機台２上に伏状態に折り畳んだ場合に、該機台２の側板２ａ��２ａ上に平行に載った状態になりながら、該各保持アーム８、８がそれぞれ対応する挟持保持部８ｄ、８ｄの両側の金属板で挟持保持され、安定してその状態を維持することができることになる。この挟持保持部８ｄ、８ｄは、この実施例では、図３（ａ）、（ｂ）、図７及び図８に示すように、その高さが、該保持アーム８、８を挟持するだけのものになっているが、これをより高くすれば、同様に、前記起伏アーム４、４を折り畳んだ場合に、その縦板部４ａ、４ａも同時に挟持保持することができることになる。この場合には、これらの挟持保持部８ｄ、８ｄを設置する位置は、前記機台２の側板２ａ、２ａの現在の設置位置より前方寄りの方が好ましい。【００４３】  前記回転中心手段６は、前記し、図４（ａ）〜（ｅ）に示すように、前記回転中心軸６ａ及び該回転中心軸６ａを昇降させるための前記昇降操作手段６ｂからなる。
前記回転中心軸６ａは、同図に示すように、円柱状を基本とする軸体であり、その下部は、図４（ｃ）に示すように、それより上方の部位より小径の小径部６ａ１に形成し、それより上方の部位と同径になるように該小径部６ａ１に合成ゴム製の緩衝材６ａ２を被覆して構成したものである。【００４４】  前記昇降操作手段６ｂは、図４（ａ）、（ｂ）、（ｄ）及び（ｅ）に示すように、前記回転中心軸６ａの上端に直角に結合した操作棒６ｃと、該回転中心軸６ａを昇降方向に案内する昇降案内管６ｄと、該昇降案内管６ｄをその中に固設し、軸昇降空間６ｅ、天板部６ｆ、正面開口部６ｇ及び下端開口部６ｈを有するケース部材６ｉと、圧縮バネ部材６ｊと、係合溝１０とで構成したものである。【００４５】  前記昇降案内管６ｄは、図４（ａ）、（ｂ）に示すように、前記ケース部材６ｉの下部内側に固設し、前記のように、前記回転中心軸６ａを昇降自在に案内しかつ支持するものであり、該回転中心軸６ａが不使用時で上昇状態にあるときはそのほぼ中央部から下方の部位を外装した状態にする。この昇降案内管６ｄの長さは限定されないが、確実な案内と支持のためには可能な限り長い方が良い。【００４６】  前記軸昇降空間６ｅは、図４（ａ）、（ｂ）に示すように、前記昇降案内管６ｄの上端より上方の前記ケース部材６ｉ内部の空間である。この軸昇降空間６ｅは、同図に示すように、両側は該ケース部材６ｉの側部によって区画され、上端は、前記天板部６ｆによって区画される。正面は前記正面開口部６ｇによって開口しており、前記操作棒６ｃは、図４（ａ）、（ｄ）に示すように、該正面開口部６ｇを通じてその先端側が外部に突出できるようになっている。前記天板部６ｆは、前記昇降案内管６ｄで昇降案内される前記回転中心軸６ａのそれ以上の上昇を規制する規制面になるものでもある。【００４７】  なお前記軸昇降空間６ｅの高さ方向の寸法は、前記回転中心軸６ａを下降操作した場合の、前記昇降案内管６ｄ及びケース部材６ｉの下端開口部６ｈからの下降量寸法に対応させて決定するものである。該下降量寸法は、該回転中心軸６ａの下端が床面ｆ等に到達し、その両側の自在車１、１を若干浮かせることができるだけの下降量である。【００４８】  前記正面開口部６ｇは、前記のように、そこを通じて前記操作棒６ｃを外部に突出させるためのものであるから、該操作棒６ｃの上下方向の移動範囲内でのみ開口していればよいが、この実施例では、前記ケース部材６ｉの上端から下端までの正面側に開口するものとなっている。【００４９】  前記下端開口部６ｈは、前記ケース部材６ｉの下端の開口部であり、全面開口となっている。この実施例では、前記したように、該ケース部材６ｉ内の下部側に前記昇降案内管６ｄが配置固定してあり、その下端の開口部もこの下端開口部６ｈと同一高さ位置に開口している。従って、前記したところからも理解されるように、前記回転中心軸６ａは、該昇降案内管６ｄの下端開口から突出下降するとき、同時に、該ケース部材６ｉのこの下端開口部６ｈからも突出下降することになる。【００５０】  前記ケース部材６ｉは、前記し、図４（ａ）、（ｂ）、（ｄ）、（ｅ）に示すように、正面側に前記正面開口部６ｇを全面的に開口し、下���も前記下端開口部６ｈを全面的に開口したほぼ直方体状の部材であり、その背面を、図１、図２、図６及び図９に示すように、前記機台２の後端片２ｃの幅方向中央部において、該後端片２ｃの直立片の外面に溶接固定したものである。取り付け高さは、前記回転中心軸６ａを所定量下降させた場合に、床面ｆ等に到達した該回転中心軸６ａで押し上げられて、その両側の自在車１、１が若干浮くこととなるように設定する。【００５１】  前記圧縮バネ部材６ｊは、図４（ａ）、（ｂ）に示すように、前記回転中心軸６ａに外装状態で、前記昇降案内管６ｄの上端と前記操作棒６ｃの基部との間に配する圧縮コイルバネ（圧縮バネ部材）であり、該回転中心軸６ａを、これの不使用時には、その上端が、前記軸昇降空間６ｅの上端であり、前記ケース部材６ｉの天板でもある前記天板部６ｆに当接状態となっているように作用するものである。【００５２】  前記係合溝１０は、図４（ａ）、（ｂ）、（ｄ）、（ｅ）に示すように、前記ケース部材６ｉの両側部の内、正面側から見た場合の右側（左側でも不都合ではない）の側部に切欠形成した溝部であり、前記操作棒６ｃを係合できる高さ方向の幅寸法で、該操作棒６ｃを前記回転中心軸６ａに直交する仮想面に沿って該ケース部材６ｉの背面と平行になるまで右側に回転させることができる深さに形成したものである。【００５３】  またこの係合溝１０の高さ位置は、特に図４（ａ）、（ｂ）に示すように、前記回転中心軸６ａを所定量下降させ、床面ｆ等の上までその下端が到達した該回転中心軸６ａによって押し上げられてその両側の自在車１、１が若干浮くこととなった段階で、該回転中心軸６ａを中心に前記操作棒６ｃを右側に回動させて進入係合させることができる位置に設定する。【００５４】  前記移動操作手段７は、図１、図２、図６及び図９に示すように、金属管で構成した前記起伏アーム４の上端横棒部４ｂの長さ方向中央部に取り付けたもので、該上端横棒部４ｂに回転自在に外装した取付管７ａと、該取付管７ａにアングル材７ｂを介して取り付けた引っ張り操作桿７ｃと、該操作桿７ｃの先端に取り付けたグリップ部７ｄと、前記取付管７ａの両側に前記上端横棒部４ｂに固定して配した固定管７ｅ、７ｅと、該固定管７ｅ、７ｅにその両側部を固定したストッパ部材７ｆとで構成したものである。【００５５】  前記取付管７ａは、前記し、図５（ａ）〜（ｄ）に示すように、前記起伏アーム４の上端横棒部４ｂの中央部に回転自在に外装したものであり、該取付管７ａは、両側で該上端横棒部４ｂに溶接固定した固定管７ｅ、７ｅによって、該上端横棒部４ｂの長さ方向中央部に位置決めされる。【００５６】  前記引っ張り操作桿７ｃは、その基部を、図２、図３（ａ）、（ｂ）、図５（ａ）〜（ｆ）及び図６〜図９に示すように、前記アングル材７ｂを介して前記取付管７ａに固設する。該アングル材７ｂは、同図に示すように、該取付管７ａと同一長さ寸法の部材であり、その１片側を該取付管７ａに溶接固定し、他の１片側に前記引っ張り操作桿７ｃの基部を溶接固定する。該アングル材７ｂの１片側の該取付管７ａへの溶接固定は、特に図３（ａ）及び図５（ｃ）に示すように、その外面側を該取付管７ａの下側に固定するように行���、この状態で該取付管７ａの前面側から垂下する他の１片の外面側に、前記引っ張り操作桿７ｃの基部を、この引っ張り操作桿７ｃが前記起伏アーム４から延長する方向に延びるように溶接固定する。【００５７】  なお、以上の状態で、前記アングル材７ｂの前記取付管７ａに溶接した側の外端部が、前記ストッパ部材７ｆの下部側に当接し、該取付管７ａはそれ以上に前記引っ張り操作桿７ｃを下降させる方向の回転が阻止されるようになっている。また該取付管７ａは、これを逆方向に１８０度回転させると、該引っ張り操作桿７ｃは、図３（ｂ）に示すように、その先端側が前記起伏アーム４の基部側を向くことになり、かつこのとき該引っ張り操作桿７ｃの基部を固設したアングル材７ｂの１片と他の１片との結合部が前記ストッパ部材７ｆの反対側に当接状態となり、該取付管７ａのその方向へのそれ以上の回転は阻止されるようになっている。【００５８】  以上の引っ張り操作桿７ｃは、図２及び図３（ｂ）に示すように、前記起伏アーム４の長さを僅かに越える程度とした。なお、この長さはこれに限定されない。【００５９】  前記グリップ部７ｄは、金属管で構成するものであり、図１、図２、図５（ａ）、図６及び図９に示すように、前記引っ張り操作桿７ｃの先端に、これとによりＴ字形をなすように溶接結合する。【００６０】  前記固定管７ｅ、７ｅは、図５（ａ）、（ｂ）に示すように、前記取付管７ａの両側に配して前記上端横棒部４ｂに溶接固定したものであり、前記したように、該取付管７ａを、該上端横棒部４ｂの中央部に位置するように規制するものである。更に該固定管７ｅ、７ｅは、図５（ａ）、（ｂ）、（ｅ）、（ｆ）に示すように、前記ストッパ部材７ｆを、これらを介して該上端横棒部４ｂに固設するものである。該ストッパ部材７ｆは、図５（ａ）〜（ｆ）に示すように、金属板材からなるものであり、その両側の内側の部位を前記固定管７ｅ、７ｅに溶接固定し、前記取付管７ａに面する部位は、若干隙間を空け、該取付管７ａとは結合しないようにしたものである。【００６１】  前記ストッパ部材７ｆは、先に述べたところから理解されるように、前記引っ張り操作桿７ｃを、前記取付管７ａを回動させることにより、前記起伏アーム４に沿ってその基部側を向けて延長状態になるように折り畳んだ場合に、該取付管７ａがそれ以上に同方向に回動しないように制限し、かつ該引っ張り操作桿７ｃを逆回動操作し、該取付管７ａを逆方向に回動させることにより、該引っ張り操作桿７ｃが前記起伏アーム４の延長方向に延びた状態になるようにした場合に、該取付管７ａがそれ以上にその方向に回動しないように制限するものでもある。【００６２】  したがってこの実施例のドラム巻条材の引出機によれば、種々の条材、例えば、電線類ｗ、ケーブル類、コード類又はホース類その他を巻いたドラムｄを、図６〜図９に示すように、セットして、それらの条材の引き出しのために使用することができる。【００６３】  ここでは電気工事にこの実施例のドラム巻条材の引出機を使用する場合を例にとって説明する。
そこでここでは、条材としては電線類ｗ又は各種のケーブル類が対象となる。
まずこの引出機の使用に際しては、必要な種類の電線類ｗを巻いたドラムｄを用意する。通常６種類程度の電線類を使用するが、それらの各種類毎に使用予定長さ分の電線類ｗを巻いた数個のドラムｄ、ｄ…を用意する。引出機は一台で良い。ドラムｄの直径が異なる複数種がある場合は、それらに対応する引出機を用意する。具体的には、前記したように、前記保持アーム８、８に対応する複数の係止溝８ｂを形成した引出機を用意する。【００６４】  引出機には、電線類ｗを巻いたドラムｄをセットする。即ち、ドラムｄを、図６及び図７に示すように、前記一対の載置用ローラ３、３上に、それらと同軸方向に向けて載せ、前記機台２の後端の外方に開いた状態にしてある前記起伏アーム４を、特に図７に示すように、起こしてそれに配してある上部抑えローラ５で前側上方から該ドラムｄを抑えた状態にし、前記機台２の前端の外方に開いた状態にしてある前記アーム状態保持手段の保持アーム８、８を、特に図７及び図８に示すように、起こし、これによって、特に図６及び図９に示すように、その先端側を前記起伏アーム４の前記縦板部４ａ、４ａの厚さ分を若干越える程度外側に開いた上で、図７及び図８に示すように、該保持アーム８、８に形成してある係止溝８ｂ、８ｂを該縦板部４ａ、４ａに突設してある前記係止突起９、９に係止させる。こうして非常に簡単に引出機にドラムｄをセットすることができる。【００６５】  このようにセットした引出機は、図６及び図７に示すように、前記移動操作手段７の引っ張り操作桿７ｃを前記起伏アーム４の延長外方向に延ばした状態にした上で、該引っ張り操作桿７ｃの先端のグリップ部７ｄを掴んで、引っ張れば、その機台２を所望の場所まで容易に移動させることができる。前記したように、該機台２には、４個の自在車１、１…が配してあり、これによって床面ｆ等の上を自由な方向に移動することが可能になる。引出機の機台２を持ち上げて運ぶような必要はないので、大きな労力を要しない。途中に段差等がありこれを越える場合は、前記起伏アーム４の一部、例えば、上端横棒部４ｂ、或いは上部抑えローラ５等を掴んでこの引出機を持ち上げる必要が生じるが、これは、通常、僅かな距離又は時間であり、全体として大きな労力を必要とすることにはならない。引出機の移動操作は大きな労力を必要とせず、簡単に行えることになる。【００６６】  なお、以上の引っ張り操作桿７ｃは、そのグリップ部７ｄを掴んで押すような操作をしても、この引出機を移動させることは可能である。また、前記引っ張り操作桿７ｃは、引出機の移動の際以外において、これが邪魔になるような場合には、前記したところから理解されるように、これを起伏アーム４の基部側に折り返しておくことができる。【００６７】  この引出機を、現場のこれを使用する場所に移動させた後は、前記回転中心手段６の操作棒６ｃの押し下げ操作をしておく。この押し下げ操作は、前記機台２の後端側である後端片２ｃを掴んで該後端片２ｃに取り付けた自在車１、１を若干浮かせた上で行う。該操作棒６ｃを、前記圧縮バネ部材６ｊに抗して、前記回転中心軸６の下端が前記後端片２ｃに取り付けた自在車１、１の下端より若干下方に突出することとなるまで押し下げ、該���作棒６ｃをその時点で右側に回転させ、これを、図４（ｂ）、（ｅ）、図８及び図９に示すように、前記ケース部材６ｉの正面開口部６ｇの側方に構成してある前記係合溝１０内に滑り込ませて係合する。こうして前記回転中心軸６ｂは、その下方への突出状態が保持され、図８及び図９に示すように、該機台２の後端部側は該回転中心軸６ａで、前端部側は前端片２ｂに取り付けた二つの自在車１、１で、それぞれ支持され、全体として三点支持による安定した支持が確保されることになる。【００６８】  この後は、この引出機の機台２に載置してあるドラムｄから必要に応じてこれに巻いてある電線類ｗを引き出すことができる。電線類ｗは、既述のような理由から、ドラムｄの下側から引き出すこととする。【００６９】  ドラムｄは、以上の状態に於いて、下部側は前記載置用ローラ３、３に転動自在に載置され、かつ上方側は前記上部抑えローラ５により同様に転動自在に抑えられているので、電線類ｗの引き出しの際には、その位置に保持されつつ、スムーズな転動が行われることとなる。【００７０】  電線類ｗが、例えば、ドラムｄの巻胴の軸方向に対して斜め方向から引き出されるような場合には、該電線類ｗが引かれるのにともなって、前記機台２が前記回転中心軸６ａを中心として回転し、該ドラムｄの巻胴の軸方向を引出方向に対して直交する向きに変えることとなる。該機台２は、前記のように、前記後端片２ｃの中央に配した前記回転中心手段６の回転中心軸６ａ及び前端片２ｂに取り付けた自在車１、１による三点支持であり、前記の電線類ｗの引き出しが行われる場合には、自在車１、１が必要な方向に向きを変え、該回転中心軸６ａを中心に回転することになる。【００７１】  このとき、前記のように、前記載置用ローラ３、３には、それぞれそれらの両側部付近に前記横ずれ防止鍔３ａ、３ａが配してあるため、以上のように、電線類ｗが、ドラムｄの巻胴の軸方向に対して斜め方向から引っ張られた場合、該ドラムｄが該載置用ローラ３、３上を若干横ずれ移動することはあり得るが、該ドラムｄは、その鍔部が、いずれ横ずれした側の該横ずれ防止鍔３ａ、３ａに当接することとなり、それ以上には移動できなくなるため、該載置用ローラ３、３のローラ部からずれ落ちるようなおそれはない。【００７２】  また該機台２は、該回転中心軸６ａで移動が封じられているので、以上のように、電線類ｗが引き出しされる場合に、該機台２自体が引き出し方向に移動してしまうようなおそれはない。更に該回転中心軸６ａは、その下部の小径部６ａ１に合成ゴム製の緩衝材６ａ２を被覆してあるため、該回転中心軸６ａが床面ｆ等に圧接状態になっても、該床面ｆ等を痛めるような問題も生じない。【００７３】  こうして引出機の機台２は、電線類ｗの引き出しにともない、おのずとこれに対して安定した方向に向くこととなるため、該電線類ｗの引き出しの際に、引出機の機台２自体が転倒して引き出しが不能になる等の問題が生じるおそれはない。またその引き出しの際に機台２自体が引き出し方向に移動するようなおそれもない。それ故、その引出しは何時でも安定して滞りなく行え、引出しを利用する電気工事の作業がスムーズに行えるものである。【００７４】  ドラムｄの電��類ｗを全て引き出してしまった場合には、同サイズの電線類ｗの巻いてある他のドラムｄに載せ替える必要があるが、この引出機では、前記保持アーム８、８を引き上げ、その係止溝８ｂ、８ｂから前記係止突起９、９を外して前記機台２の前端外方側に倒せば、前記起伏アーム４は自由に動けるようになり、これを引き起こして該機台２の後端外方に倒すことができるようになる。そこでこのようにした上で、電線類ｗの引き出されてしまったドラムｄを該機台２の前記載置用ローラ３、３上から取り除き、対応する電線類ｗの巻いてある他のドラムｄに載せ替えることができる。その後は、前記したように、該起伏アーム４及び該保持アーム８、８を操作して該ドラムｄの載置状態を保持できるようにすればよい。【００７５】  またこの引出機を、別な場所に移動させたい場合には、図４（ａ）、（ｄ）、図６及び図７に示すように、前記回転中心手段６の操作棒６ｃを左側に回転させて前記係合溝１０から外し、これを前記圧縮バネ部材６ｊの作用で上昇させ、これとともに、前記回転中心軸６ｂを上昇させる。こうして、図６及び図７に示すように、この引出機の機台２は、これに配した前後の４個の自在車１、１…で支持されることになり、前記移動操作手段７の引っ張り操作桿７ｃが前記起伏アーム４の基部側に折り返し状態になっている場合は、前記したように、これを前記起伏アーム４の延長外方向に延ばした状態にした上で、該引っ張り操作桿７ｃの先端のグリップ部７ｄを掴んで、引っ張れば良い。該機台２は、所望の場所まで容易に移動できることになる。なお、前記したように、移動途中に段差等がある場合は、前記起伏アーム４の一部等を掴んで引出機を引き上げ、その上を越えることができるのは云うまでもない。【００７６】  この引出機の不使用時には、ドラムｄを取り除いて、引出機それ自体をコンパクトに折り畳むことができる。したがってその保管や運搬の際のスペースが非常に小さくて済む。
すなわち、ドラムｄを除去すれば、前記保持アーム８、８は、図３（ａ）、（ｂ）に示すように、前記機台２の前端側から伏状態に倒して、該機台２の側板２ａ、２ａ上にほぼ隙間無く相互に平行な状態に載せる（折り畳む）ことができる。そしてこのとき、該保持アーム８、８は、それぞれ前記機台２の側板２ａ、２ａの後部側の部位に配した挟持保持部８ｄ、８ｄで挟持保持されることになり、その状態が確実に保持される。【００７７】  前記起伏アーム４は、その後、図３（ａ）、（ｂ）に示すように、該機台２の後端側から伏状態に倒して、該側板２ａ、２ａ上に載っている該保持アーム８、８上にほぼ隙間無く相互に平行な状態に載せる（折り畳む）ことができる。また該起伏アーム４の上端横棒部４ｂに前記取付管７ａ等を介して結合した前記引っ張り操作桿７ｃは、図３（ａ）に示す起伏アーム４の延長方向への伸長状態からこれを上方に約１８０度回転させて図３（ｂ）に示す該起伏アーム４の基部方向に向けた折り畳み状態にすることができる。こうして、特に以上の図３（ｂ）に示すように、この引出機は一枚の板状に近い状態までコンパクトにすることができる。【００７８】  なお、以上の起伏アーム４については、この実施例では、前記挟持保持部８ｄ、８ｄのような保持手段が用意されていないが、通常の保管や運搬操作等で上記の折り畳み状態が崩れて問題が生じるようなことはほとんど無い。より確実にコンパクトな状態を保持するためには、前記したように、該挟持保持部８ｄ、８ｄを構成する二枚の金属板として、前記保持アーム８、８の幅を越えて、折り畳みの際にその上に載ることとなる起伏アーム４の縦板部４ａ、４ａを挟持できるだけの寸法のものを採用し、これらで該縦板部４ａ、４ａをも挟持保持するようにすれば良い。この場合は、該挟持保持部８ｄ、８ｄの配置を若干前方寄りに移動するのが適当である。【００７９】  したがって保管の際や運搬の際には保管又は積み荷スペースを極めて小さくすることができる。具体的には、引出機は、上述のように、折り畳めば、ほぼ板状になってしまうので、保管又は運搬する際には、複数のそれを相互に重ねることができる。
【産業上の利用可能性】
【００８０】  本発明ドラム巻条材の引出機は、これを製造する工業分野及びこれを用いる電気工事等の分野で利用することができる。
【符号の説明】
【００８１】１    自在車（車輪）
２    機台
２ａ  側板
２ｂ  前端片
２ｃ  後端片
３    載置用ローラ
３ａ  横ずれ防止鍔
４    起伏アーム
４ａ  縦板部（縦棒部）
４ｂ  上端横棒部
４ｃ  ブラケット
５    上部抑えローラ
６    回転中心手段
６ａ  回転中心軸
６ａ１  小径部
６ａ２  緩衝材
６ｂ  昇降操作手段
６ｃ  操作棒
６ｄ  昇降案内管
６ｅ  軸昇降空間
６ｆ  天板部
６ｇ  正面開口部
６ｈ  下端開口部
６ｉ  ケース部材
６ｊ  圧縮バネ部材
７    移動操作手段
７ａ  取付管
７ｂ  アングル材
７ｃ  引っ張り操作桿
７ｄ  グリップ部
７ｅ  固定管
７ｆ  ストッパ部材
８    保持アーム
８ａ  ブラケット
８ｂ  係止溝
８ｃ  圧縮バネ
８ｄ  挟持保持部
９    係止突起
１０  係合溝
ｄ    ドラム
ｆ    床面
ｗ    電線類
【図１】
2018043882.tif 000003
【図２】
2018043882.tif 000004
【図３】
2018043882.tif 000005
【図４】
2018043882.tif 000006
【図５】
2018043882.tif 000007
【図６】
2018043882.tif 000008
【図７】
2018043882.tif 000009
【図８】
2018043882.tif 000010
【図９】
2018043882.tif 000011